(57)【要約】  所定の画素に対して色の飽和が増大するだけでなく画素の色が変化する場合、色相誤差が飽和制御ＣＳＣの際に生じることがある。  第１の変形において、本発明は、第１の処理ストリーム（２３）において表示装置（１１）の見積もられたガンマ関数を飽和した信号(Ｙ’，ｓａｔｘ（Ｒ’−Ｙ’），ｓａｔｘ（Ｂ’−Ｙ’）)に適用して飽和した色を取得するとともに、第２の処理ストリーム（２５）において表示装置（１１）の見積もられたガンマ関数を元の信号(Ｙ’，（Ｒ’−Ｙ’），（Ｂ’−Ｙ’）)に適用して元の色を取得することによって、飽和増大後の飽和した色を予測することを提案する。飽和した色は、増大した飽和を維持しながら元の色に補正される。第２の変形において、負の色の寄与が生じたときに色相補正（３５）を色飽和制御（１７）後に行うことによって出力の色相を予測する必要がなくなる。第３の変形例において、実験的に色相補正に近づけるために色飽和制御（１７）後に色差信号を適用することができる。
2008508768.tif 000002
【特許請求の範囲】
【請求項１】
画像の色飽和を制御する画像信号処理方法であって、
入力画像信号を発生するステップと、
前記入力画像信号に飽和制御を適用して、飽和制御された画像信号を生じるステップとを具え、
第１の色相値を、第１の信号処理ストリームの第１の画像信号から決定し、
第２の色相値を、第２の信号処理ストリームの第２の画像信号から決定し、
補正された色相値を、前記第１の色相値及び／又は前記第２の色相値から取得し、
前記補正された色相値の基づく出力信号を取得することによって、前記飽和制御された画像信号に基づく色相再現を行うことを特徴とする画像信号処理方法。
【請求項２】
請求項１記載の画像信号処理方法において、前記入力画像信号を、輝度成分及び色成分によって形成することを特徴とする画像信号処理方法。
【請求項３】
請求項１記載の画像信号処理方法において、第１又は第２の色相値を、２次元平面の差座標の角度として決定し、前記差座標を、第１又は第２の画像信号の色成分及び輝度成分によって形成することを特徴とする画像信号処理方法。
【請求項４】
請求項１記載の画像信号処理方法において、前記補正された色相値を、基準としての前記第１の色相値及び前記補正された色相値としての前記第２の色相値を選択することによって取得することを特徴とする画像信号処理方法。
【請求項５】
請求項１記載の画像信号処理方法において、前記出力信号を、三角関数の補正された色相値を用いて取得することを特徴とする画像信号処理方法。
【請求項６】
請求項１記載の画像信号処理方法において、前記出力信号の前記飽和制御された画像信号の飽和値を維持することを特徴とする画像信号処理方法。
【請求項７】
請求項１記載の画像信号処理方法において、前記色相再現を、ディスプレイ後の予測される伝達関数信号に基づいて行うことを特徴とする画像信号処理方法。
【請求項８】
請求項１又は７記載の画像信号処理方法において、前記第１の画像信号を、前記飽和制御された画像信号によって形成し、前記第２の画像信号を、前記入力画像信号によって形成することを特徴とする画像信号処理方法。
【請求項９】
請求項８記載の画像信号処理方法において、前記第１の処理ストリームが、
前記第１の画像信号をＲＧＢ画像信号に変換するステップと、
前記ＲＧＢ画像信号を、予測される飽和制御されたＲＧＢ画像信号に非線形変換するステップと、
前記予測される飽和制御されたＲＧＢ画像信号を、飽和制御された第１の画像信号に再変換するステップとを具えることを特徴とする画像信号処理方法。
【請求項１０】
請求項９記載の画像信号処理方法において、前記第１の色相値を、前記予測される飽和制御されたＲＧＢ画像信号の赤色成分、緑色成分及び青色成分並びに前記飽和制御された第１の画像信号の輝度成分によって決定することを特徴とする画像信号処理方法。
【請求項１１】
請求項８記載の画像信号処理方法において、前記第２の処理ストリームが、
前記第２の画像信号をＲＧＢ画像信号に変換するステップと、
前記ＲＧＢ画像信号を、予測されるＲＧＢ画像信号に非線形変換するステップと、
前記予測されるＲＧＢ画像信号を、処理された第２の画像信号に再変換するステップとを具えることを特徴とする画像信号処理方法。
【請求項１２】
請求項１１記載の画像信号処理方法において、前記第１の色相値を、前記予測されるＲＧＢ画像信号の赤色成分、緑色成分及び青色成分並びに前記飽和制御された第１の画像信号の輝度成分によって決定することを特徴とする画像信号処理方法。
【請求項１３】
請求項１又は９記載の画像信号処理方法において、前記補正された色相値を、前記予測される飽和制御されたＲＧＢ画像信号の線形的な赤色、緑色及び／又は青色成分並びに前記飽和制御された第１の画像信号の線形的な輝度成分によって更に取得することを特徴とする画像信号処理方法。
【請求項１４】
請求項８記載の画像信号処理方法において、前記出力信号が、色相補正された輝度成分及び色相補正された色成分を含むことを特徴とする画像信号処理方法。
【請求項１５】
請求項１４記載の画像信号処理方法において、表示信号を、
前記出力信号を出力ＲＧＢ画像信号に変換するステップと、
前記出力ＲＧＢ画像信号を表示信号に非線形変換するステップとを具えることによって取得することを特徴とする画像信号処理方法。
【請求項１６】
請求項９，１１又は１５記載の画像信号処理方法において、前記非線形変換のステップが、ディスプレイ伝達関数又は逆ディスプレイ伝達関数をシミュレートすることを特徴とする画像信号処理方法。
【請求項１７】
請求項１６記載の画像信号処理方法において、前記ディスプレイ伝達関数又は逆ディスプレイ伝達関数を、陰極線管、液晶ディスプレイ及びプラズマディスプレイパネルからなる群から選択したディスプレイに適合させることを特徴とする画像信号処理方法。
【請求項１８】
請求項１記載の画像信号処理方法において、前記色相再現を、ディスプレイ前の伝達関数信号に基づいて行うことを特徴とする画像信号処理方法。
【請求項１９】
請求項１又は１８記載の画像信号処理方法において、前記第１の画像信号及び前記第２の画像信号を、同一の飽和制御された画像信号によって形成することを特徴とする画像信号処理方法。
【請求項２０】
請求項１９記載の画像信号処理方法において、前記第１の処理ストリームが、前記第１の色相値を前記第１の画像信号から直接決定するステップを具えることを特徴とする画像信号処理方法。
【請求項２１】
請求項１９記載の画像信号処理方法において、前記第２の処理ストリームが、
前記第２の画像信号をＲＧＢ画像信号に変換するステップと、
前記ＲＧＢ画像信号の負の値をゼロに制限することによって、制限されたＲＧＢ画像信号を発生するステップと、
前記制限されたＲＧＢ信号を、制限された第２の画像信号に再変換するステップとを具えることを特徴とする画像信号処理方法。
【請求項２２】
請求項１９記載の画像信号処理方法において、前記第２の色相値を、前記制限されたＲＧＢ画像信号の赤色成分、緑色成分及び青色成分並びに前記制限された第２の画像信号の輝度成分によって取得することを特徴とする画像信号処理方法。
【請求項２３】
請求項１９記載の画像信号処理方法において、前記補正された色相値を、前記制限されたＲＧＢ画像信号の非線形赤色、緑色及び／又は青色成分並びに前記制限された第２の画像信号の非線形輝度成分によって取得することを特徴とする画像信号処理方法。
【請求項２４】
請求項１９記載の画像信号処理方法において、前記色相再現に際し、前記補正された色相値を、前記飽和制御された画像信号の非線形クロミナンス成分によって取得することを特徴とする画像信号処理方法。
【請求項２５】
請求項１９記載の画像信号処理方法において、前記出力信号を、前記入力画像信号の輝度成分と、色相補正された非線形色成分とを用いて直接取得することを特徴とする画像信号処理方法。
【請求項２６】
請求項１９記載の画像信号処理方法において、表示信号を前記出力信号の形態で取得することを特徴とする画像信号処理方法。
【請求項２７】
請求項１記載の画像信号処理方法において、特に処理の際の除算器の問題を予防するために、前記色相再現のステップを、ＲＧＢ画像信号の赤色、緑色又は青色成分の値のしきい値レベルの関数として完了することを特徴とする画像信号処理方法。
【請求項２８】
画像の色飽和を制御する画像信号処理装置であって、
入力画像信号を発生する手段と、
前記入力画像信号に飽和制御を適用して、飽和制御された画像信号を生じる手段とを具え、
色相再現ユニットが、飽和制御された画像信号を処理するように適合され、前記色相再現ユニットが、
第１の色相値を、第１の信号処理ストリームの第１の画像信号から決定する手段と、
第２の色相値を、第２の信号処理ストリームの第２の画像信号から決定する手段と、
補正された色相値を、前記第１の色相値及び／又は前記第２の色相値から取得する手段と、
前記補正された色相値の基づく出力信号を取得する手段とを具えることを特徴とする画像信号処理装置。
【請求項２９】
表示手段及び画像信号処理装置を具える装置であって、前記画像信号処理装置が、請求項１記載の画像処理方法を実施するように適合されたことを特徴とする装置。
【請求項３０】
請求項２９記載の装置において、陰極線管、液晶ディスプレイ及びプラズマディスプレイパネルからなる群から選択した表示手段を具えることを特徴とする装置。
【請求項３１】
演算装置によって読出し可能な媒体に格納可能なコンピュータプログラムであって、前記プログラムを前記演算装置で実行する際に前記演算装置に請求項１記載の画像信号処理方法を実行させるソフトウェアのコード部を具えることを特徴とするコンピュータプログラム。
【請求項３２】
請求項３１記載のコンピュータプログラムを実行し及び／又は記憶する演算及び／又は記憶装置。
【発明の詳細な説明】
【技術分野】
【０００１】
本発明は、画像の色飽和を制御する画像信号処理方法、画像信号処理装置、装置及びコンピュータプログラムに関する。
【０００２】
現在の画像信号処理技術は、通常、異常な又は誇張された画像パラメータを回避するために画像信号処理の際に画像の色相、彩度又は明度を制御する特別な制御手段を適用する必要がある。カラー表示装置において、表示された画像の色の飽和を、飽和制御によって増大することができる。これを行うとき、所定の画素又は画素の領域に対して、色が更に飽和するだけでなく画素の色も変化する。これは色相誤差と称される。以下、色相誤差は、飽和制御を変更する際のあらゆる種類の不自然にシフトした色又は異常な濃淡を表すことができる。
【背景技術】
【０００３】
上記種類の色相誤差は、従来の教示によって十分に説明されていない。
【０００４】
米国特許第５，４５０，２１７号は、元の輝度の関数としての輝度及び飽和が増大した画像の輝度を減少するために画像を再フィルタ処理することを教示している。しかしながら、そのような教示は、増大する色飽和制御の際にディスプレイにより生じる色相誤差を説明していない。
【０００５】
米国特許出願第２００３／００２５８３５号も、上記種類の色相誤差を説明していない。この方法は、同一のリアルタイムデジタルビデオ画像の個別の色の色相又は飽和を同一のリアルタイムデジタルビデオ画像の他の任意の色の色相又は飽和を有効にすることなく独立して制御するという制約が課される。上記種類の個別の色に対する制約がある制御方法は、満足のいく結果を与えることができない。色相の維持を少なくとも関連のエリア又は３次元色空間全体で行う必要がある。
【０００６】
米国特許第６，３６６，２９１号において、色変換方法が開示されており、この場合、蛍光材料によって表された色の実際のクロミナンス座標が、実際のクロミナンス座標と同一の色相を有するが実際のクロミナンス座標より高い飽和を有する仮想的なクロミナンス座標に置換される。開示された方法は、例えば、カラーフィルム、カラー写真紙又はカラープリントからの元のカラー画像がカラースキャナによってカラーモニタ又はディスプレイに転送される際に負の色すなわち減少しうる値を有する最大値より下の色が生じるときの色相の変化を防止する。実際には、元のカラー画像の範囲又はカラープリントされた画像の範囲はしばしば、ＲＧＢカラーモニタの蛍光材料によって規定された色範囲外から配置された色を含む。また、上記種類の方法は、飽和を向上することができる。しかしながら、この方法は、カラー印刷された画像の範囲に関する飽和を向上することに限定され、既に説明したような飽和制御によって生じる色相誤差を無視している。その結果、上記方法は、カラー印刷された画像のカラーディスプレイへの転送の際の異常な色を除去することができるが、画像信号の飽和制御の際の上記種類の色相誤差が生じる。
【０００７】
カラー画像の飽和制御を行う際にもカラー画像の色相が維持されるのが望ましい。
【発明の開示】
【０００８】
本発明の目的は、表示すべき画像の飽和の変化による色相誤差を有効に防止する、画像の色飽和を制御する画像信号処理方法及び信号処理装置を提供することである。
【０００９】
特に、本発明の他の目的は、予め決定されたエリア又は３次元色空間全体の色相誤差を防止することができる方法及び装置を提供することである。
【００１０】
方法に関して、目的は、
画像の色飽和を制御する画像信号処理方法であって、
入力画像信号を発生するステップと、
前記入力画像信号に飽和制御を適用して、飽和制御された画像信号を生じるステップとを具え、
第１の色相値を、第１の信号処理ストリームの第１の画像信号から決定し、
第２の色相値を、第２の信号処理ストリームの第２の画像信号から決定し、
補正された色相値を、前記第１の色相値及び／又は前記第２の色相値から取得し、
前記補正された色相値の基づく出力信号を取得することによって、前記飽和制御された画像信号に基づく色相再現を行うことを特徴とする画像信号処理方法によって達成される。
【００１１】
飽和制御された画像信号に基づいて色相が再現された場合にのみ飽和制御の際に生じる色相誤差を有効に防止できることが、本発明によって認識された。その結果、基本的な考えにおいて、本発明は、第１の色相値を決定するとともに第２の色相値を決定することを教示し、この場合、出力信号は、第１の色相値及び／又は第２の色相値から得られる補正された色相値に基づく。本発明は、飽和制御がある特定の関連の方法において入力画像信号を有効にし、その結果、第１の色相値と第２の色相値との間の差が生じる。第１及び第２の色相値を、特に好適な種類において選択する。その四つの変形を、詳細な説明において図４，７，９及び１０を参照して詳細に説明する。本発明によって提案した主要な概念は、第１の色相値及び／又は第２の色相値間の差に基づく補正された色相値を取得することである。
【００１２】
上記概念は、色相誤差を取り除く際に色範囲内の色も考慮する必要があるという認識に基づく。特に、本発明は、増大する色飽和のために内側の色が色範囲を無効にするとすぐに色相誤差も増大し始めることを認識した。したがって、最大の色相誤差が境界色で生じる。
【００１３】
また、原色と補色との間の色の色相がＲＧＢ原色にシフトすることを本発明によって認識した。特に、最大の色相誤差が黄色付近で生じ、最小の色相誤差が青色付近で生じる。
【００１４】
また、１より大きい色飽和制御の場合に負の原色の寄与が生じるとともにこれによって色相誤差が生じうることを、本発明によって認識した。増大する色飽和の際にこれらの種類の色相誤差の主要部分が非線形的なディスプレイ伝達関数によって生じ、これによって、既に説明したような色のシフトが生じるとともに負の原色の寄与をゼロに制限することが、本発明によって認識された。非線形伝達関数を、単に「ガンマ」又は「逆ガンマ」と称する。
【００１５】
この概念は、米国特許出願第２００３／００２５８３５号のような所定のクロミナンス座標から分離され又は色相誤差を良好に防止することができない米国特許第６，３６６，２９１号に開示されたような特定の伝達状況に制限される通常の測定に反するものである。
【００１６】
さらに、本発明の概念を、従属項に記載した本発明の所定の態様に従って柔軟に適合することができる。
【００１７】
好適には、前記入力画像信号を、特に、輝度成分及び色成分、特に非線形的な輝度成分及び非線形的なクロミナンス成分によって形成する。色飽和制御は、好適には非線形信号領域で実行される。
【００１８】
好適には、第１又は第２の色相値を、２次元平面の差座標の角度として決定し、前記差座標を、第１又は第２の画像信号の色成分及び輝度成分によって形成する。色成分を、クロミナンス値によって形成することができる。好適には、計算を、例えば、ソフトウェアコード部の色相計算関数によって実行する。特に好適には、色相計算を、演算装置のような適切なハードウェア構成要素によって実行することができる。
【００１９】
好適には、前記出力信号を、三角関数の補正された色相値を用いて取得する。好適には、計算を、例えば、ソフトウェアコード部の色相計算関数によって実行する。特に好適には、色相再現機能を、演算装置のような適切なハードウェア構成要素によって実行することができる。
【００２０】
好適には、飽和制御された画像信号の飽和値は、色相再現の際に出力信号で維持される。
【００２１】
本発明の他の主要な態様を、以下説明する。
【００２２】
本発明の第１の態様によれば、全ての色相誤差の主な原因が非線形なディスプレイ伝達関数であることを認識した。その結果、本発明の第１の変形において、色相再現は、予測される「ディスプレイ後の伝達関数信号」に基づいて行われる。第１の変形の基本的な考えにおいて、色相再現は、シミュレートされたディスプレイ伝達関数後の色空間で適用される。これは、ディスプレイ信号に対する、すなわち、例えば入力信号及びディスプレイの全体に亘る伝達によって決定される通常は線形化された信号に対する特徴である信号の予測後に補正色相値が得られることを意味する。それにもかかわらず、カメラガンマ及びディスプレイガンマがほとんど互いに正確に補足しあわないので、全体的に非線形的なガンマが存在する。第１の変形の利点は、結果がカメラガンマに依存しないことである。
【００２３】
特に好適な形態において、前記第１の画像信号を、前記飽和制御された画像信号によって形成し、前記第２の画像信号を、前記入力画像信号によって形成する。
【００２４】
この手段は、飽和増大後に飽和した色を予測するとともに元の色を取得するベースを形成する。この変形の好適な態様において、前記第１の処理ストリームが、
前記第１の画像信号をＲＧＢ画像信号に変換するステップと、
前記ＲＧＢ画像信号を、予測される飽和制御されたＲＧＢ画像信号に非線形変換するステップと、
前記予測される飽和制御されたＲＧＢ画像信号を、飽和制御された第１の画像信号に再変換するステップとを具える。
【００２５】
その結果、予測される画像信号は、第１の色相値を決定するよう作用することができる。
【００２６】
また、好適な形態において、前記第２の処理ストリームが、
前記第２の画像信号をＲＧＢ画像信号に変換するステップと、
前記ＲＧＢ画像信号を、予測されるＲＧＢ画像信号に非線形変換するステップと、
前記予測されるＲＧＢ画像信号を、処理された第２の画像信号に再変換するステップとを具える。
【００２７】
その結果、第２の色相値を、予測された画像信号及び再変換した予測された画像信号から形成することができる。
【００２８】
換言すれば、本発明の第１の変形は、例えば、表示装置の予測されたガンマ関数を飽和した信号に適用することによって飽和増大後の飽和した色を予測する。また、例えば、予測されたガンマ関数は、元の信号、すなわち、増大した飽和のない信号に適用することができ、したがって、元の色が取得される。この変形は、増大した飽和を維持しながら飽和した色を元の色に順次補正するのに好適である。
【００２９】
特に、色相再現後にディスプレイ信号を取得するために逆ガンマすなわち逆ディスプレイ伝達関数が適用される。特に、表示信号を、
前記出力信号を出力ＲＧＢ画像信号に変換するステップと、
前記出力ＲＧＢ画像信号を表示信号に非線形変換するステップとを具えることによって取得することができる。
【００３０】
第１の変形の特に好適な形態を、従属項７〜１７に記載する。
【００３１】
本発明の第２の態様によれば、ディスプレイガンマが負の原色の寄与をゼロに制限できることを認識した。その結果、本発明の第２の変形において、色相再現は、「ディスプレイ前の伝達関数信号」に基づいて適用される。これは、ディスプレイがシミュレートされる前の色空間すなわちカメラガンマとディスプレイパネルとの間の非線形空間で色再現が適用されることを意味する。第２の変形は、ディスプレイガンマが負の原色の寄与をゼロに制限するために大抵の誤差が生じるという認識に基づく。
【００３２】
第２の変形の他の好適な態様において、前記第１の画像信号及び前記第２の画像信号を、同一の飽和制御された画像信号によって形成する。
【００３３】
第２の変形の他の好適な態様において、前記第１の処理ストリームが、前記第１の色相値を前記第１の画像信号から直接決定するステップを具える。
【００３４】
更に好適には、第２の変形において、前記第２の処理ストリームが、
前記第２の画像信号をＲＧＢ画像信号に変換するステップと、
前記ＲＧＢ画像信号の負の値をゼロに制限することによって、制限されたＲＧＢ画像信号を発生するステップと、
前記制限されたＲＧＢ信号を、制限された第２の画像信号に再変換するステップとを具える。
【００３５】
その結果、本発明の第２の変形の手段は、負の値を考慮する第１の色相値を決定するとともにＲＧＢ画像信号の負の値をゼロに制限することによって第２の色相値を決定する。後者の場合、負の色防止ＮＣＰが適用される。その結果、補正された色相値を、本発明の第２の変形に従って第１の色相値及び／又は第２の色相値から取得することができる。
【００３６】
第２の変形は、負の色をゼロに制限するとともに元の信号の色相の代わりに制限された信号の色相を取り出すことによってＲＧＢ画像信号の非線形変換による領域変換を回避できる。ここでも、増大する飽和を維持しながら結果的に得られる色を元の色に補正することを保証する。第１の変形のようなディスプレイの出力の色相を予測する必要はない。
【００３７】
本発明の第２の変形の好適な態様を、従属項１８〜２３に記載する。
【００３８】
本発明の第３の態様によれば、色飽和制御の関数として実験的に見つけられた適合内で、色飽和制御後の色差信号を適用することができ、かつ、本発明の第２の変形の色相補正に近づけることができる。その結果、色相再現における本発明の第３の変形において、補正された色相値を、飽和制御された画像信号の非線形的なクロミナンス成分によって更に取得する。この利点は、追加の処理量がそのような色相補正に制限されることである。
【００３９】
本発明の第３の変形の他の好適な態様を、方法の従属項２４〜２６に記載する。
【００４０】
要約すると、本発明の第１の変形によれば、補正された色相値を、特に、予測された飽和制御されたＲＧＢ画像信号の色成分によって更に取得する。
【００４１】
本発明の第２の変形によれば、補正された色相値を、特に、制限されたＲＧＢ画像信号の色成分によって更に取得する。
【００４２】
本発明の第３の変形によれば、補正された色相値を、特に、飽和制御された画像信号の非線形クロミナンス成分によって更に取得する。
【００４３】
本発明の他の好適な態様において、特に、処理の際の除算器の問題を防止するために、好適には、色相再現のステップを、ＲＧＢ画像信号の色成分の値のしきい値レベルの関数として完了する。後者の変形は、３次元色空間の好適な予め決定されたエリアに色相再現を形成するために一つ以上のいわゆるメンバシップ関数を適用することができる。例えば、色相の補正を、ＲＧＢ色の所定のしきい値レベルより上で部分的に適用することができる。他のメンバシップ関数を、３次元色空間の領域外にのみ色相補正を部分的又は全体的に適合することができ、後者は、最大の色相誤差が通常境界色で生じるという認識に基づく。特に、メンバシップ関数は、必然的な除算器問題を防止するために適合される。特に、ＲＧＢ値の最大値と最小値の差の値を観察することによって小さい分母が防止される。
【００４４】
これまで説明したような方法及びその好適な形態を、あらゆる好適な種類のデジタル回路によって実現することができ、これによって、デジタル回路に関連した利点を得ることができる。単一のプロセッサ又は他のユニットは、請求項で言及し、詳細な説明で説明し又は図示した複数の手段の機能を満足することができる。
【００４５】
結果的には、本発明は、装置に関連して、画像の色飽和を制御する画像信号処理装置であって、
入力画像信号を発生する手段と、
前記入力画像信号に飽和制御を適用して、飽和制御された画像信号を生じる手段とを具え、
色相再現ユニットが、飽和制御された画像信号を処理するように適合され、前記色相再現ユニットが、
第１の色相値を、第１の信号処理ストリームの第１の画像信号から決定する手段と、
第２の色相値を、第２の信号処理ストリームの第２の画像信号から決定する手段と、
補正された色相値を、前記第１の色相値及び／又は前記第２の色相値から取得する手段と、
前記補正された色相値の基づく出力信号を取得する手段とを具えることを特徴とする画像信号処理装置を提供する。
【００４６】
本発明は、特に装置に関連して、表示手段及び画像信号処理装置を具える装置であって、前記画像信号処理装置が、上記画像処理方法を実施するように適合されたことを特徴とする装置も提供する。特に、表示手段を、陰極線管（ＣＲＴ）、液晶ディスプレイ（ＬＣＤ）及びプラズマディスプレイパネル（ＰＤＰ）からなる群から選択することができる。上記種類の表示手段を、特に、カメラ、モニタ、コンピュータ又はテレビジョンの形態で用いることができる。
【００４７】
本発明は、演算装置によって読出し可能な媒体に格納可能なコンピュータプログラムであって、前記プログラムを前記演算装置で実行する際に前記演算装置に請求項１記載の画像信号処理方法を実行させるソフトウェアのコード部を具えることを特徴とするコンピュータプログラムも提供する。ソフトウェアのコード部の好適な形態は、色相の計算、色相再現及びメンバシップ関数に関する。
【００４８】
本発明は、上記コンピュータプログラムを実行し及び／又は記憶する演算及び／又は記憶装置も提供する。特に、好適な演算装置は、上記色相の計算、色相再現及び／又はメンバシップ関数を実行するのに適合される。
【００４９】
本発明のこれら及び他の態様を、後に説明する好適な実施の形態を参照して明らかにする。
【００５０】
当然、本発明説明するために構成要素又は方法の考えられる形態をそれぞれ説明することは不可能であるが、当業者は、本発明の他の多数の組合せ及び変更が可能であることを認識する。
【００５１】
通常、これまで説明したような技術は、テレビジョンセット又は静止及びビデオカメラに適用される。本発明は、特にディスプレイに有用であり、ディスプレイに関連して説明するが、カラー画像を出力する出力装置の他の形態で本発明の概念を用いることができることを理解すべきである。例えば、本発明の概念を、カラープリンタ又は多数のコンピュータアプリケーションに適用することもできる。
【００５２】
画像信号処理は、家電、特にデジタル家電、全ての種類のオーディオ及びビデオフロントエンド並びにエンターテイメント製品の関連の部分となる。そのような技術は、大抵のＰＣカラーモニタがＴＶセットと同一の色範囲及び非線形伝達関数を有する間は画像編集用のコンピュータソフトウェアで実現される。その理由は、家電及びコンピュータ機器が益々互いに関連するようになるからである。
【発明を実施するための最良の形態】
【００５３】
本発明を更に理解するために、添付図面を参照する。
【００５４】
１．序論
例えば図１に示すような表示装置３（ＴＶセット、モニタ、プリンタ、コンピュータ、オーディオ／ビデオアプリケーション）の出力の色相誤差を増大した色飽和制御（すなわち、飽和値“ｓａｔ”が１より大きい。）で再現する複数の方法を説明する。
【００５５】
例えばテレビジョンセット、デジタル静止及びビデオカメラ、多数のコンピュータのアプリケーション又はプリンタの表示装置の色飽和制御（ＣＳＣ）５は、好適にはカメラの元の画像信号の非線形変換後に非線形信号領域で実行される。そのような非線形変換は、通常、単に「ガンマ補正」と称される（逆非線形伝達関数の場合には、ときどき「逆ガンマ補正」(degamma)と称される。）非線形伝達関数を信号に適用することによって実行される。好適には、図１に示すような表示手段１１の非線形ガンマと組み合わせて、１を超える色飽和の増大によって、主に色範囲の境界において色相誤差が生じる。本発明は、これらの色相誤差を補正する複数の方法を提供する。
【００５６】
表示装置３の色飽和制御ＣＳＣ５の位置は、図１の通りである。ここでは、三つの主要部からなるテレビジョンシステムの基本的な図を示す。カメラ１及び伝送媒体２を上側に示し、ＣＲＴ（陰極線管）又は（プラズマディスプレイパネルＰＤＰや液晶ディスプレイＬＣＤのような）他の種類の表示手段の形態の表示装置３を下側に示す。
【００５７】
通常、シーンは、レンズと、ＲＧＢ（赤−緑−青）又は他の種類の色配置を有する単一の光検知領域のイメージセンサとを通じてカメラ１によって記録される。次に、ＲＧＢ信号は、カメラの色領域をＥＢＵ（欧州放送連盟）規格やＨＤＴＶ（高精細テレビジョン）規格のような所望のテレビジョン規格に適合するよう３×３カメラマトリックスに供給される。
【００５８】
マトリックスの後、カメラガンマ補正が適用される。カメラガンマ補正は、表示装置３の終端の表示手段１１（ＣＲＴ，ＰＤＰ，ＬＣＤ）の非線形変換を補償するためのものである。
【００５９】
最後に、カメラ１において、Ｒ’Ｇ’Ｂ’信号は、輝度信号Ｙ’及び色差信号Ｒ’−Ｙ’及びＢ’−Ｇ’に変換され、これら輝度信号Ｙ’及び色差信号Ｒ’−Ｙ’及びＢ’−Ｙ’は、表示装置３に対する入力信号を形成する。カメラ１の変形例として、入力信号（Ｙ’，Ｒ’−Ｙ’及びＢ’−Ｙ’）を、他の任意の適切な方法で設けることもできる。
【００６０】
変換後、ＤＣレベルを輝度信号Ｙ’に加算することによって黒レベルを調整することができる。色差信号に適切な係数を乗算することによって飽和を調整することができ、それを、図において“ｓａｔ”によって表す。
【００６１】
伝送媒体２の前段にコーダを設けるとともに伝送媒体２の後段にデコーダを設けることができる。コーダ及びデコーダのタイプは、伝送媒体２のタイプに依存する。
【００６２】
ディスプレイ３は、先ず、輝度信号Ｙ’に対して黒レベル制御を行うとともに色差信号Ｒ’−Ｙ’及びＢ’−Ｙ’に対して色飽和制御ＣＳＣ５を行う。次に、変換器７によって信号がＲ’Ｇ’Ｂ’信号に戻される。
【００６３】
ディスプレイ３の色範囲がカメラ（ＥＢＵ又はＨＤＴＶ）の範囲に対応しない場合、色再現誤差を最小にするために３×３ディスプレイマトリックス９を適用することができる。
【００６４】
最後に、ガンマ変換の特性を通じてカメラ１によって記録されたシーン１３を示す表示手段１１が存在する。ガンマの適切な選択は特定のアプリケーションにまで行われることを理解すべきである。これに関連して、２．３のＣＲＴガンマが用いられる。ＣＲＴの他に、ＬＣＤ（液晶ディスプレイ）やＰＤＰ（プラズマディスプレイパネル）のような他の表示手段１１を適用することもできる。
【００６５】
一般に、プリンタについては、大抵のプリンタがＲＧＢ規格を採用し、したがって、通常より僅かに小さいべき指数を有するガンマ、例えば、実際の指数関数曲線より小さい黒に近い利得を有するガンマが、印刷前に画像例えば線形的なカラーバーに適用される。ＰＣモニタの適切なディスプレイに対しても、通常より僅かに小さいべき指数を有するガンマが好適である。そうでない場合、印刷画像は、通常、印刷のとき又はモニタで見たときに非常に暗くなるからである。
【００６６】
２．色飽和制御の関数としてのディスプレイ後の色相の維持
実現するのに重要な第１の態様は、一般にカメラガンマ補正後に色相が色飽和の関数として維持されることである。図２から明らかなように、境界１５における色飽和線１６は、白と各基準点との間に引いた線と同一の色相を有する。信号及びその基準の位置を、図２においてブロックで表す。
【００６７】
第２の態様は、非線形表示ガンマ補正及び増大する色飽和制御５の後に原色と補色との間にある色の色相が図３に示すようにＲＧＢ原色にシフトすることである。色相誤差は、飽和制御の変化の際のあらゆる種類の不自然にシフトした色又は異常な濃淡を表す。増大する色飽和制御５によって生じた色相誤差を取り除くことができる三つの方法を説明する。
【００６８】
図３において、信号及びその基準の位置を、図３においてブロックで表す。導入の際に、内側の色が、増大する飽和制御のために色範囲を無効にすると、色相誤差も増大し始める。したがって、最大の色相誤差は色範囲の境界１５で生じる。
【００６９】
１より大きい飽和値“ｓａｔ”を有する色飽和制御の場合にも、カメラガンマ補正後に負の原色信号の寄与が生じうる。伝送媒体２の制限の他に、負の原色信号の寄与を処理する際の実際の障害は、当然、負の原色信号の寄与をゼロに制限するディスプレイのガンマ補正である。
【００７０】
ディスプレイガンマ補正及び１．５の色飽和制御によるゼロに制限された負の信号を伴う境界色の色相分析を、ほぼ同等とみなすことができ、負の原色信号の寄与を処理することができるディスプレイのガンマ補正を伴うことができる。したがって、色再現の比較後の第１の結論としては、色相誤差がディスプレイの負の信号のスループットの場合に比べて著しく小さくなるが、ここでは説明しない。
【００７１】
負の原色光の寄与を再現できないとしても、ディスプレイガンマ補正の符号を検知することによって、結果的に得られる色再現を考察することができる。これは、ディスプレイガンマ補正後の負の原色信号が正の信号に反転されるとともに負の符号の信号によってラベルが付されることを意味する。ディスプレイのガンマ補正後、符号は、ディスプレイの出力を再び反転する必要があるか否か決定する。負の符号の信号に対して、ディスプレイ出力が反転される。正の原色信号は、正の不当の信号のラベルが付され、変更されない。
【００７２】
図３からわかるように、色範囲内の色の分析からの他の結論としては、原色と補色との間にある色の色相がＲＧＢ原色に向かってシフトする。
【００７３】
図３の第３の結論としては、最大の色相誤差が黄色付近で生じるとともに最小の色相誤差が青色付近で生じ、それは、連邦通信委員会（ＦＣＣ）の送信輝度重み付け(transmission luminance weights)とは正反対である。
【００７４】
ここでは示さないが、ディスプレイによる理論的に負の原色の寄与の処理の詳細な分析によって、増大する色飽和における比較的大きな色相誤差の主な原因がディスプレイガンマ補正であることは明らかである。その理由は、ディスプレイガンマ補正が負の原色の寄与をゼロに制限するからである。
【００７５】
２．１  飽和制御の関数としてディスプレイの出力部の色相を維持する第１の実施の形態
図４は、飽和制御後のディスプレイの色相が維持される信号処理方法の第１の好適な実施の形態のフローチャートである。これは、増大する色飽和制御１７でも色相誤差が補正されることを意味する。第１の種類の色相再現１０は、次の通りである。非線形入力信号である輝度信号Ｙ’並びに色差信号（Ｒ’−Ｙ’）及び（Ｂ’−Ｙ’）が、色飽和制御１７に供給され、飽和制御された画像信号Ｙ’並びに｛ｓａｔｘ（Ｒ’−Ｙ’）｝及び｛ｓａｔｘ（Ｂ’−Ｙ’）｝となる。変更された飽和制御を伴わない輝度信号及び変形された飽和制御を伴う色差信号は、変換１９及び２１によって原色信号、すなわち、カメラのＲ’Ｇ’Ｂ’信号及び変更された飽和制御を伴うＲｓ’Ｇｓ’Ｂｓ’に変換される。Ｒｓ’Ｇｓ’Ｂｓ’信号の“ｓ”は、変更された飽和制御を表すために用いられる。第１の画像信号は、第１のストリーム２３の信号Ｙ’，｛ｓａｔｘ（Ｒ’−Ｙ’）｝，｛ｓａｔｘ（Ｂ’−Ｙ’）｝，Ｒｓ’，Ｇｓ’，Ｂｓ’の形態で処理される。第２の画像信号は、第２の処理ストリーム２５の元の画像信号Ｙ’，Ｒ’−Ｙ’，Ｂ’−Ｙ’，Ｒ’，Ｇ’，Ｂ’の形態で処理され、破線によって表す。主要信号経路を実線で示す。しかしながら、第２の画像ストリーム２５の信号Ｙ’，Ｒ’−Ｙ’，Ｂ’−Ｙ’又はＲ’Ｇ’Ｂ’の色相は、第１のストリーム３２の信号Ｙ’，｛ｓａｔｘ（Ｒ’−Ｙ’）｝，｛ｓａｔｘ（Ｂ’−Ｙ’）｝又はＲｓ’Ｇｓ’Ｂｓ’、すなわち、非線形伝達関数２７前の信号とほぼ同一の色相を有する。
【００７６】
Ｒ’Ｇ’Ｂ’信号は、以下のようになる。
【数１】
2008508768.tif 000003
【００７７】
（Ｇ’−Ｙ’）信号を取得するためのＹＲ，ＹＧ及びＹＢ輝度の寄与は、ＦＣＣ規格に従う(ＹＲ：ＹＧ：ＹＢ＝０．２９９：０５８７：０．１１４)。
【００７８】
Ｒｓ’Ｇｓ’Ｂｓ’信号は、以下のようになる。
【数２】
2008508768.tif 000004
【００７９】
以前に取得したＧ’信号の（Ｇ’−Ｙ’）信号を用いることができる。処理ストリーム２３及び２５の両方の信号−第１の処理ストリーム２３のＲ’Ｇ’Ｂ’信号及び第２の処理ストリーム２５のＲｓ’Ｇｓ’Ｂｓ’信号は、ＣＲＴ伝達関数を有する二つのＬＵＴ２７に供給される。これによって、Ｒ’Ｇ’Ｂ’画像信号の予測されるＲＧＢ画像信号Ｒ”，Ｇ”，Ｂ”への非線形的な変換は、第２の処理ストリーム２５で行われ、Ｒｓ’Ｇｓ’Ｂｓ’画像信号の予測される飽和制御されたＲＧＢ画像信号Ｒｓ”，Ｇｓ”，Ｂｓ”への非線形的な変換は、第１の処理ストリーム２３で行われる。この結果、予測されるＲ”Ｇ”Ｂ”信号は、変更された飽和制御のないＣＲＴ出力となり、予測されるＲｓ”Ｇｓ”Ｂｓ”信号は、変更された飽和制御を有する。これを式で表すと以下のようになる。
【数３】
2008508768.tif 000005
【００８０】
γ＝２．３の標準的なＣＲＴと異なる伝達特性、例えば、ＬＣＤ又はＰＤＰの伝達特性を有するディスプレイタイプを用いる場合、ＣＲＴ伝達曲線を適用するのが好ましい。その理由は、それぞれのディスプレイタイプがＣＲＴ伝達特性に適合する必要があるからである。
【００８１】
予測されるＲ”Ｇ”Ｂ”信号の第２のＹ１”輝度信号への変換及び予測されるＲｓ”Ｇｓ”Ｂｓ”信号の第１のＹｓ”輝度信号への変換に際し、関連のディスプレイの輝度の寄与は、再変換２９によってもたらされる。そうでない場合、既に説明したようなディスプレイの輝度出力が正確に維持されない。処理された第２の画像信号Ｙ１”は、１．０の飽和制御に対する元の輝度出力を表し、飽和制御された第１の画像信号Ｙｓ”は、増減することができる変更された飽和制御を有するディスプレイの輝度出力に関連する。
【００８２】
再変換による輝度信号Ｙ１”及びＹｓ”への変換は、以下の式のようになる。
【数４】
2008508768.tif 000006
この場合、ＹＲｄｉｓｐｌａｙ，ＹＧｄｉｓｐｌａｙ及びＹＢｄｉｓｐｌａｙは、ディスプレイの輝度の寄与を表す。
【００８３】
ユニット３１において、クロミナンス面の第２の色相角Ｐｈｉｏｒｇを、Ｒ”Ｇ”Ｂ”及びＹ１”信号を用いて計算し、ユニット３３において、クロミナンス面の第１の色相角Ｐｈｉｓａｔを、Ｒｓ”Ｇｓ”Ｂｓ”及びＹｓ”信号を用いて計算する。ＰｈｉｏｒｇとＰｈｉｓａｔのいずれも、ディスプレイの出力の位相角の予測となる。Ｐｈｉｏｒｇは、中心の白から１．０の飽和制御のディスプレイによって再現された色までの線の角度である。Ｐｈｉｓａｔは、中心の白から１．０を超える任意の飽和制御のディスプレイによって再現された色までの線の角度である。これを図５に示す。
【００８４】
ユニット３１及び３３において、以下に示す関数ＰｈｉＨｕｅ（５）を用いて、色相角Ｐｈｉｏｒｇ”及びＰｈｉｓａｔ”が、１の色減少係数(color reduction factor)を用いた色差信号を有するクロミナンス面で計算される。
【００８５】
Ｐｈｉｏｒｇ”＝ＰｈｉＨｕｅ（Ｒ”，Ｂ”，Ｙ”）によって第２の色相角Ｐｈｉｏｒｇ”が計算され、Ｐｈｉｓａｔ”＝ＰｈｉＨｕｅ（Ｒｓ”，Ｂｓ”，Ｙｓ”）によって第１の色相角Ｐｈｉｏｒｇ”が計算される。
【数５】
2008508768.tif 000007
【００８６】
適切な象限が、ａｒｃｔａｎ（逆正接）関数を用いることによって決定される。（Ｂｈ−Ｙｈ）＝０かつ（Ｒｈ−Ｙｈ）＜０の場合、ＰｈｉＨｕｅは２７０°になり、ラジアンで表したときには１．５ｘｐｉとなる。しかしながら、（Ｂｈ−Ｙｈ）＝０かつ（Ｒｈ−Ｙｈ）＞０の場合、ＰｈｉＨｕｅは９０°になり、ラジアンで表したときには０．５ｘｐｉとなる。他の全ての条件に対して、（Ｂｈ−Ｙｈ）＝０となり、角度ＰｈｉＨｕｅは、象限を考慮しながらａｒｃｔａｎ（（Ｒｈ−Ｙｈ）／（Ｂｈ−Ｙｈ））によって計算される。その理由は、０≦ｘ＜∞に対して、０≦ａｒｃｔｇ（ｘ）＜ｐｉ／２が第１及び第３象限にある必要があり、−∞≦ｘ＜０に対して、−ｐｉ／２≦ａｒｃｔｇ（ｘ）＜０が第１及び第３象限にある必要があるからである。この場合、ｘは、（Ｒｈ−Ｙｈ）／（Ｂｈ−Ｙｈ）を表す。
【００８７】
第１象限に対してのみ、角度が正確であり、他の象限に対して、所定の条件が課される。（Ｂｈ−Ｙｈ）＜０に対して、ＰｈｉＨｕｅは第２又は第３象限に存在する必要がある。１８０°（ｐｉ）を加えることによって、負の角度が第２象限に配置され、正の角度が第３象限に配置される。（Ｒｈ−Ｙｈ）＜０かつ（Ｂｈ−Ｙｈ）＞０に対して、負の角度が見つけられる。３６０°（ｐｉ）を加えることによって、この角度が第４象限に配置される。
【００８８】
利用できる角Ｐｈｉｏｒｇ”及びＰｈｉｓａｔ”を用いることによって、ディスプレイ出力の色相補正を、補正された色相値３９をユニット３５において手順（６）に従って取得することによって行うことができる。
【数６】
2008508768.tif 000008
【００８９】
手順ＨｕｅＲｅｓｔｒａｔｉｏｎ（Ｒｓ”，Ｂｓ”，Ｙｓ”，Ｐｈｉｓａｔ”，Ｐｈｉｏｒｇ”）を実行することによって、ディスプレイの出力部の色相の補正されたＲｏ”Ｇｏ”Ｂｏ”が得られる。ここで、Ｒｓ”，Ｂｓ”，Ｙｓ”は、ディスプレイのガンマ補正後のＰｈｉｓａｔ”に関連する。
【００９０】
図５は、２次元クロミナンス面の減少のない色差信号を有する色相再現を表す線形図を示す。黄色の色相再現の例を、参照番号３９によって示す。
【００９１】
増大する色飽和における黄色の色再現を、矢印３７によって示す。矢印３７の（Ｂｎ−Ｙ）信号は負であり、それに対して、矢印３７の（Ｒｎ−Ｙｎ）信号は正である。δφ＝Ｐｈｉｓａｔ”−Ｐｈｉｏｒｇ”によって表されるｄｅｌｔａＰｈｉの関数としてのｃｏｓ（ｉｎｕｓ）及びｓｉｎ（ｕｓ）値を、図５の右側に示す。黄色に対して、δφは負である。手順（６）による（Ｂ”−Ｙ”）信号から、負の（Ｂｎ−Ｙｎ）部分は、ｃｏｓ（δφ）を乗算することによって幾分小さい負となり、（Ｒｎ−Ｙｎ）ｘｓｉｎ（δφ）を加えることによって更に大きな負となり、（Ｒｎ−Ｙｎ）ｘｓｉｎ（δφ）は負となる（＋ｘ−＝−）。正の（Ｂ”−Ｙ”）信号は、（Ｒｎ−Ｙｎ）ｘｃｏｓ（δφ）によって幾分小さくなり、（Ｂｎ−Ｙｎ）ｘｓｉｎ（δφ）の引き算を更に減少し、（Ｒｎ−Ｙｎ）及びｓｉｎ（δφ）のいずれも負である（−（−ｘ−）＝−）。最後に、色相補正された黄色は、小円３９内に配置される。
【００９２】
図４に示すように、ディスプレイ信号は、ユニット４１で出力信号Ｙｏ”，（Ｒ”−Ｙ”）ｏ，（Ｂ”−Ｙ”）ｏを出力ＲＧＢ画像信号Ｒｏ”，Ｇｏ”，Ｂｏ”に変換し、ユニット４３で出力ＲＧＢ画像信号Ｒｏ”Ｇｏ”Ｂｏ”をディスプレイ信号Ｒｏ’Ｇｏ’Ｂｏ’に非線形的に変換することによって取得される。
【００９３】
ユニット４３の逆ガンマ補正によるＲｏ”Ｇｏ”Ｂｏ”信号上での以前のＣＲＴガンマ補正を無効にすることによって、ディスプレイの入力信号として用いることができるＲｏ’Ｇｏ’Ｂｏ’信号が達成される。
【００９４】
逆ガンマ補正は、以下のようになる。
【数７】
2008508768.tif 000009
標準としてのＣＲＴの伝達特性を有するＣＲＴ，ＬＣＤ、ＰＤＰ又は他のあらゆるタイプのディスプレイの後、色相誤差が補正され、変更された飽和が維持される。
【００９５】
図６の左側において、補正された色相誤差を、１／２．３のカメラガンマ及び１．５の色飽和制御に対する２次元ＵＣＳ１９７６面及び２次元クロミナンス面に示す。用いられる信号の種類をブロックで示す。太い実線は、中心の白と飽和制御が１．０である開始基準点との間の線による理想的な色相を示す。太い実線は、ディスプレイの最終的な色再現に対する開始基準点からの色再現を表す。細い破線の角度と太い実線の角度の差の比較は、色相補正の品質の尺度を提供する。
【００９６】
図６の右側において、細い破線は、色相補正のないディスプレイ出力の色再現を示し、それに対して、太い実線は、図４の色相補正を伴う色再生を示す。細い破線と太い実線との間の差は、色相補正の量を示す。
【００９７】
２．２  色相補正の第２の実施の形態
図７は、ＣＲＴガンマ及び逆ガンマ変換なく飽和制御後のディスプレイの色相を維持する信号処理方法の第２の好適な実施の形態のフローチャートである。色相補正の第２の実施の形態は、ＣＲＴガンマ予測することも当該ＣＲＴガンマを無効にすることもなく示される。この方法は、増大する色飽和制御において負の原色の寄与が表れる場合にのみ大きな色相誤差が生じるという認識に基づく。
【００９８】
図４と基本的に同一の機能を実行する図７のユニットには、図４で用いたものと同一の参照番号を付す。また、主信号経路を実線で表す。第２の種類の色相再現２０は、以下のように行われる。ユニット４５（負の色防止−ＮＣＰ）は、負のＲｓ’Ｇｓ’Ｂｓ’信号の寄与をゼロに制限することによって負の色を防止する。これは、以下の式で表される。
【数８】
2008508768.tif 000010
【００９９】
このような負の色の寄与も考慮し、好適な場合には、負の色の寄与をＣＲＴ逆ガンマ補正に続くシミュレートされたＣＲＴガンマ補正に置換できるよう実現するのは興味深い。この組合せは、全体に亘る線形的な変換を有し、負の色の寄与をゼロに制限する以外は何も行わない。
【０１００】
次に、第２の色相角Ｐｈｉｌｉｍｉｔ’は、Ｐｈｉｌｉｍｉｔ’＝ＰｈｉＨｕｅ（Ｒｓｌ’，Ｂｓｌ’，Ｙｓｌ’）と記述される式（５）によってユニット３１で計算され、第２の色相角Ｐｈｉｌｉｍｉｔ’のように制限のない（ｎｌ）第１の色相角Ｐｈｉｎｌ’は、Ｐｈｉｎｌ’＝ＰｈｉＨｕｅ（ｓａｔｘ（Ｒ’−Ｙ’）＋Ｙ’，ｓａｔｘ（Ｒ’−Ｙ’）＋Ｙ’，Ｙ’）によって決定される。
【０１０１】
ユニット３５において、色相補正は、置換ＨｕｅＲｅｓｔｏｒａｔｉｏｎ（Ｒｓｌ’，Ｂｓｌ’，Ｙｓｌ’，Ｐｈｉｌｉｍｉｔ’，Ｐｈｉｎｌ’）により手順（６）を用いて行われる。この場合、Ｐｈｉｎｌ’は、基準色相ｆｒとしての役割を果たし、Ｐｈｉｌｉｍｉｔ’は、Ｒｓｌ’，Ｂｓｌ’，Ｙｓｌ’信号を用いて補正すべき色相ｆｎとしての役割を果たす。
【０１０２】
色相補正の信号処理方法の第２の好適な実施の形態を、セクション４．１において図４を用いて説明したような色相補正の信号処理方法の第１の好適な実施の形態と区別する必要がある。図４の第１の実施の形態は、シミュレートされたＣＲＴディスプレイ後の色空間の色相再現をユニット２７によって実行する。ユニット４３のＣＲＴ逆ガンマ補正によって、ディスプレイ前のＲ０’Ｇｏ’Ｂｏ’信号が取得される。しかしながら、図７の第２の実施の形態は、ディスプレイ前の色空間、すなわち、カメラガンマとディスプレイパネルとの間の非線形空間に色相再現を適用する。Ｙ’信号及び他の信号を破線で表す。
【０１０３】
色相再現方法の第２の実施の形態の結果、負の色の寄与の場合にのみ色相補正が行われる。その結果を図８に示す。この場合も、ブロックは信号の種類を表す。左側において、第２の実施の形態の品質を、細い破線の基準線と太い実線の境界色の線とを比較することによってディスプレイ出力のクロミナンス面及びＵＣＳ１９７色面で判定することができる。図８の右側において、色相再現のない細い破線及び色相再現のある太い実線を示すことによって色相誤差がどの程度補正されたかを示す。
【０１０４】
色飽和制御の増大後のＵＣＳ１９７６色範囲の内側の色に対する色相再現の第２の実施の形態による色相の変化が生じない。これを図８の下側で見ることができる。
【０１０５】
２．３  特に第２の実施の形態の変形例としての色相補正の第３の実施の形態
色相補正の第３の実施の形態は、以前のセクションの第２の実施の形態の特に好適な変形例である。第３の種類の色相再現３０は、以下のように機能する。第２の実施の形態に対して、図７のフローチャートのＲｓｌ’，Ｂｓｌ’及びＹｓｌ’の代わりに色差信号ｓａｔｘ（Ｂ’−Ｙ’）及びｓａｔｘ（Ｒ’−Ｙ’）を用いる。色相再現方法の第３の実施の形態のフローチャートを図９に示す。信号処理方法の第３の好適な実施の形態によって、ディスプレイの色相が、色飽和制御後に色差信号ｓａｔｘ（Ｂ’−Ｙ’）及びｓａｔｘ（Ｒ’−Ｙ’）を用いることによって、信号経路の最小の処理で維持される。
【０１０６】
図４又は図７と基本的に同一の機能を実行するユニットに、図４及び７で用いられるのと同一の参照番号を付す。図７及び９のユニット４５（ＮＣＰ）は、負のＲｓ’Ｇｓ’Ｂｓ’信号をゼロに制限することによって負の色を防止する。主要信号経路を実線で表す。第２の処理ストリーム２５を破線で表す。
【０１０７】
一般に、ユニット３５の色相補正に対して、角度Ｐｈｉｌｉｍｉｔ’に関連する信号を図７に示すように適用する必要がある。しかしながら、実験的に見つけた適合を色飽和制御の関数として用いることによって、色飽和制御後に色差信号ｓａｔｘ（Ｂ’−Ｙ’）及びｓａｔｘ（Ｒ’−Ｙ’）を適用することができ、それにもかかわらず、良好に第２の方法と同一の色相補正に近づけることができる。後者を図９に示す。色相再現方法の第３の実施の形態の利点は、信号経路の追加の処理量がユニット３５の色相補正のみに限定されることである。
【０１０８】
ｆ（ｓａｔ）としての色相補正δφの実験的な適合は、以下のようになる。
【数９】
2008508768.tif 000011
ユニット３５の色相補正は、以下のようになる。
【数１０】
2008508768.tif 000012
式（１０）は、（Ｂｎ−Ｙｎ）及び（Ｒｎ−Ｙｎ）をそれぞれｓａｔｘ（Ｂ’−Ｙ’）及びｓａｔｘ（Ｒ’−Ｙ’）に置換するとともに（φｎ−φｒ）をそれぞれ（δφ）に置換するときに手順（６）の上の二つの式に適合する。
【０１０９】
色相補正方法の第２の実施の形態と第３の実施の形態との差を、２．０の色飽和制御におけるクロミナンス面で分析した。その結果、ほとんど差がないが、第２の実施の形態が第３の実施の形態より幾分良好な色相補正を有することを示し、ここでは結果を示さない。色飽和制御が１．０まで減少すると、両実施の形態の差が更に小さくなり、最終的には無視できる。結果的には、色相補正方法の両方の実施の形態が色飽和制御の関数として負の色の寄与を有効にゼロに制限すると判断される。図９の第３の実施の形態は、図７の第２の実施の形態の良好な代案である。
【０１１０】
２．４  第１及び第２の実施の形態の色相補正の評価
図４の第１の実施の形態の色相補正方法及び図７の第２の実施の形態の色相補正方法との間の比較を行う。これらの差を、１．５の色飽和制御のクロミナンス面及びＵＣＳ１９７６面で分析したが、ここでは示さない。一見すれば、第１の実施の形態の色相補正方法が第２の実施の形態の色相補正方法よりも若干良好なパフォーマンスを有するという印象がある。しかしながら、更に正確に比較によって、第１の実施の形態の色相補正が基準点の色相を再現することを明らかにし、その基準点の開始点は、クロミナンス面及びＵＣＳ１９７６色範囲の境界に最も近い点となる。これらの位置において、第２の実施の形態の色相補正方法は不可能である。その理由は、負の色の寄与がないからである。したがって、第１の実施の形態と第２の実施の形態との主な違いは、第１の実施の形態がカメラガンマ補正後の増大する色飽和制御後に負の色の寄与により、かつ、かかる寄与なく色の色相を再現できることである。第２の実施の形態は、負の色の寄与が生じたときしか色相を再現することができない。
【０１１１】
第１の実施の形態と第２の実施の形態との他の差は、境界、特に、人間の目が色の偏移を最も感じるＧ−Ｒ線の色再現に関する。ＵＣＳ１９７６面において、第２の実施の形態の色相補正の境界色は、第１の実施の形態の色相補正に比べて黄色に近くなり、第１の実施の形態の色相補正は、原色の緑色及び赤色に僅かに近づく傾向にある。黄色の再現を維持することが色相補正の目的であるとき、これは、第２の実施の形態の色相補正の利点であると思われる。
【０１１２】
しかしながら、この効果に関連する他の現象がある。ＵＣＳ１９７６面において、二つの思いがけない開始基準点が、ほぼ直線上にある黄色と赤色との間で選択されることがある。第１の実施の形態の色相補正に対して、これら二つの基準点の最終的な色再現は互いに非常に近接する。しかしながら、第２の実施の形態の色相補正に対して、大きな差が存在し、これは、入力色が色範囲の境界に近づくときに色相角が黄色に戻るようにシフトすることを意味する。
【０１１３】
特に、オレンジ色のテスト画像は、色飽和がゼロから十分に飽和したオレンジ色まで線形的に増大することを示す。１．８の色飽和制御に対するそのような種類のオレンジ色画像の色分析は、入力色が色範囲の境界に更に近づいて飽和制御後に負の色の寄与が生じるに従ってディスプレイ出力色が原色の赤色に更にシフトすることを正確な眺めで示す。第１の実施の形態の色相補正に対して、小さいがほぼ同一のシフト方向が考慮される。第２の実施の形態の色相補正において、負の原色の寄与が生じると、色は逆方向すなわち黄色方向にシフトし始める。
【０１１４】
左下の第２の実施の形態の色相補正と直接処理される飽和制御との間の差は、負の色の寄与が生じたときのみ生じる。したがって、第１の結論としては、入力色が色範囲の境界に接近し始めるときに、第１の実施の形態の色相補正は、原色の赤色に向かうシフトを維持しながらより自然な流れを提供し、それに対して、第２の実施の形態の色補正は、黄色に向かう逆方向のシフトを開始する。しかしながら、これは、知覚の観点から第２の実施の形態の色相補正が許容できない流れを再生することを意味しない。第２の結論としては、既に説明したように、第１の実施の形態の色相補正で提供されるような負の原色の寄与のない色範囲内の色の式相補性は、非常に有利である。その理由は、このような色相補正がこれらの色の色相も再現するからである。
【０１１５】
２．５  色相補正のメンバシップ関数
色相補正の可視性は、通常、ディスプレイの出力の所定のＲＧＢｍａｘ”レベルで始まる。２．０のユーザ飽和制御でオレンジテスト画像を検査することによって、２．３のＣＲＴガンマ指数及び１／２．３の逆指数を有するカメラガンマの場合に０．０６より上のＲＧＢｍａｘ”レベルのＣＲＴ出力で色相補正が有効となることが明らかとなる。これは、色相制御にメンバシップ関数を導入できることを意味する。原則として、メンバシップ関数の効果を、説明のために図１１に示す。
【０１１６】
ＣＲＴガンマ値を考慮するとき、カメラ後のＲＧＢｍａｘ’レベルは０．０６１／２．３＝０．３となる。図１１の左側において、カメラガンマ後の色相補正に対する第１のメンバシップ関数を、説明のための一例としてのみ示す。０．１５のＲＧＢｍａｘ’の開始値は、ある程度任意であり、ディスプレイの出力の０．０１３のＲＧＢｍａｘ”値に対応する。１／２．３より大きい指数を有するカメラガンマ（すなわち、１／２．３＜γｃ＜１）の場合、このメンバシップは、ディスプレイの出力において０．０６の目に見える最低のＲＧＢｍａｘ”レベルを保証する。その理由は、最低のＲＧＢｍａｘ”レベルが０．０６より小さくなるからである。大きなカメラガンマに対して、ディスプレイの出力の画像は更に暗くなり、したがって、色相誤差は更に見えにくくなる。
【０１１７】
色相誤差に対する第１のメンバシップ関数の出力μに対して、以下のようになる。
【数１１】
2008508768.tif 000013
【０１１８】
そのような種類のメンバシップ関数を、数学的に又はルックアップテーブル（ＬＵＴ）によって実現することができ、これによって、ＲＧＢｍａｘ’＜＝０．１５に対する色相測定及び補正をオフに切り替え及び／又はバイパスすることができる。０．１５より上のＲＧＢｍａｘ’値に対して、手順（６）の色相補正は、以下のように適合される。
【数１２】
2008508768.tif 000014
メンバシップ関数の出力μに応じて、色相は０．３より上のＲＧＢｍａｘ’値に対して十分に補正され、０．１５＜ＲＧＢｍａｘ’＜＝０．３に対して比例的に補正される。
【０１１９】
第１のメンバシップ関数を含む第３の色相補正方法の式（１０）は、以下のようになる。
【数１３】
2008508768.tif 000015
【０１２０】
図１０において、任意のメンバシップ関数のアプリケーションの一例を、図４の元のブロック図の変形フローチャートで示す。明瞭のために、メンバシップ関数の処理ストリームを破線で示す。原則的に、図７及び９のフローチャートも、メンバシップ関数の処理ストリームを図４のフローチャートのものの代わりに追加して用いることができる。他の種類の色相再現４０は、以下の通りである。図１０のメンバシップ関数の機能的な接続を説明するために、メンバシップ処理ストリーム４７は、第２の処理ストリーム２５から分岐する。メンバシップ処理ストリーム４７は、ユニット４９でＲＧＢ極小を検出するステップと、ユニット５１でメンバシップ関数出力を取得するステップとを具える。
【０１２１】
その結果、ユニット３１及び３３に接続した第１のメンバシップ処理ブランチ５３において、第１の色相角Ｐｈｉｓａｔ”及び第２の色相角Ｐｈｉｏｒｇ”が得られる。さらに、ユニット３５に接続した第２のメンバシップ処理ブランチ５５において、ユニット３５の色相補正がメンバシップ制御される。
【０１２２】
式（１１）のＲＧＢｍａｘ’のメンバシップ関数が適用されると仮定する。この場合、ＲＧＢｍａｘ’メンバシップ関数は、ＲＧＢｍａｘ’＜＝０．５に対して、Ｐｈｉｓａｔ”及びＰｈｉｏｒｇ”の計算をオフに切り替えるとともにその出力を０°の角度によって置換することを決定する。色相補正は、式（１１）及び（１２）又は（１３）のＲＧＢｍａｘ’のメンバシップ関数によって制御される。
【０１２３】
その結果を、図１１の右側において、垂直方向の寸法としてのＲＧＢｍａｘ’を有する３次元クロミナンス空間に示す。ＲＧＢｍａｘ’のメンバシップ関数は、完全な色相補正、部分的な色相補正及び色相補正なしを提供する。
【０１２４】
図１０のフローチャートのメンバシップ関数は、一般的な使用を意図する。図１２に示すような特に好適な実施の形態において、メンバシップ関数は、小さい色差信号に対する関数（５）のＰｈｉＨｕｅ計算を伴う除算器の問題を防止するために適用される。１．０ＶのＲＧＢｍａｘ’レベルでも、色差信号は非常に小さくなりうる。それは、３次元クロミナンス空間の下側の領域にしか生じない。図１１の以前のＲＧＢｍａｘ’のメンバシップ関数を（ＲＧＢｍａｘ’−ＲＧＢｍｉｎ’）の関数に置換することによって、除算器の問題を解決することができる。（ＲＧＢｍａｘ’−ＲＧＢｍｉｎ’）の関数は、色相が計算されたか否かを決定する。計算された場合、色相は、当該（ＲＧＢｍａｘ’−ＲＧＢｍｉｎ’）の関数に比例して再び補正される。ＲＧＢｍａｘ’及びＲＧＢｍｉｎ’に対して、
【数１４】
2008508768.tif 000016
となり、これらはそれぞれ、三つのＲ’Ｂ’Ｇ’信号のうちの最大のもの及び最小のものとなる。
【０１２５】
さらに、２．０の飽和制御で上記種類のオレンジテスト画像を検査することによって、２．３のＣＲＴガンマ及び１／２．３の逆指数を有するカメラガンマの場合に色相補正が約０．３の（ＲＧＢｍａｘ”−ＲＧＢｍｉｎ”）より上のＣＲＴ出力で有効になることは明らかである。１／２．３より大きいカメラガンマ（すなわち、１／２．３＜γ＜１）に対して、色相補正の可視性が幾分増加する。その理由は、色が色空間の境界に向かって少し移動するからである。更に大きなカメラガンマに対してディスプレイの出力の画像が更に暗くなるとしても、オレンジテスト画像において色相補正を明瞭に見ることができる。したがって、最小（ＲＧＢｍａｘ’−ＲＧＢｍｉｎ’）レベルが、０．３の代わりに好適には０．２まで減少し、その結果、ＣＲＴの前で０．２１／２．３＝０．５の値となる。これによって、図１２に示すような（ＲＧＢｍａｘ’−ＲＧＢｍｉｎ’）の第２のメンバシップ関数となり、この場合、開始値は、０．２５に選択され、これは、除算器の問題を安全に防止する。これは、上記実施の形態の実用的なハードウェアの実現に特に有利である。
【０１２６】
この（ＲＧＢｍａｘ’−ＲＧＢｍｉｎ’）のメンバシップ関数の出力ηは、以下のようになる。
【数１５】
2008508768.tif 000017
【０１２７】
このメンバシップ関数を、数学的に又はルックアップテーブル（ＬＵＴ）を用いて実現することができ、これによって、０．２５Ｖ以下の（ＲＧＢｍａｘ’−ＲＧＢｍｉｎ’）に対する色相測定及び補正をオフに切り替え及び／又はバイパスすることができる。０．２５Ｖより上の（ＲＧＢｍａｘ’−ＲＧＢｍｉｎ’）値に対して、手順（６）の色相補正が、以下のように適用される。
【数１６】
2008508768.tif 000018
【０１２８】
出力ηに応じて、色相は、０．５Ｖより上の（ＲＧＢｍａｘ’−ＲＧＢｍｉｎ’）値に対して完全に補正され、０．２５Ｖ＜（ＲＧＢｍａｘ’−ＲＧＢｍｉｎ’）＜＝０．５Ｖに対して比例的に補正される。
【０１２９】
図１２の右側において、（ＲＧＢｍａｘ’−ＲＧＢｍｉｎ’）のメンバシップ関数を、３次元クロミナンス色空間に示す。内側の垂直線は、色相補正が行われることもＰｈｉＨｕｅを計算するための除算器機能も実行されない３次元グレーエリア５７を表す。外側の垂直線と内側の垂直線との組合せは、部分的な色相補正がメンバシップ関数の中間部のηに比例して実効される陰影領域５９を表す。陰影エリア５９の外側、すなわち、エリア６１において、完全な色相補正が適用される。
【０１３０】
（ＲＧＢｍａｘ’−ＲＧＢｍｉｎ’）信号は、白色又は灰色に対してＲＧＢｍａｘ’＝ＲＧＢｍｉｎ’となり、クロミナンス空間の境界色に対してＲＧＢｍａｘ’＝０となり、すなわち、これらのエリアにおいて、メンバシップ関数は特に有利である。
【０１３１】
（ＲＧＢｍａｘ’−ＲＧＢｍｉｎ’）のメンバシップ制御の際にＲＧＢｍａｘ’及びＲＧＢｍｉｎ’信号を検出するために飽和制御後にＲｓ’Ｇｓ’Ｂｓ’信号を適用することもできる。この場合、メンバシップ関数は、色飽和制御に依存するようになり、（ＲＧＢｍａｘ’−ＲＧＢｍｉｎ’）入力を、大きな色飽和制御の場合には１．０の代わりに好適には少なくとも２．０とすることを要求する。三原色及び三補色に対して、最大信号が１．０Ｖである場合には２．０の飽和制御において（ＲＧＢｍａｘ’−ＲＧＢｍｉｎ’）信号が２．０Ｖとなると考えられる。例えば、２．０の飽和制御でのＢ＝１．０及びＲ＝Ｇ＝０に対して、（ＲＧＢｍａｘ’−ＲＧＢｍｉｎ’）の振幅は１．８８６−（−０．１１４）＝２．０となる。これは、赤色及び緑色の原色並びに黄色、シアン色及びマジェンタ色の補色に対しても考慮される。
【０１３２】
入力信号としてのクロミナンス振幅を有するメンバシップ関数を実現することもできる。この場合、減少のない色差信号に対して、以下の関係が当てはまる。
【数１７】
2008508768.tif 000019
【０１３３】
しかしながら、二つの２乗の関数及び一つのルートの計算は、（ＲＧＢｍａｘ’−ＲＧＢｍｉｎ’）の上記減算に比べて実現が一層困難となる。両者の間の唯一の差は、クロミナンス信号が３次元クロミナンス色空間に円形エリアを提供することであり、この場合、（ＲＧＢｍａｘ’−ＲＧＢｍｉｎ’）信号は、色空間の外側の境界に比例する六角形を提供する。このディテールを好適な利点とみなすことができる。
【０１３４】
（Ｒ’−Ｙ’）及び（Ｂ’−Ｙ’）の色差信号を適用すると、そのメンバシップ関数の結果、３次元クロミナンス色空間において正方形エリアとなり、それは実際の不都合と考えられうる。さらに、メンバシップ関数の実現は幾分複雑になる。その理由は、その最小値及び最大値がメンバシップ条件を満足する必要があるからである。これらは、以下のようになる。
ｍｉｎ（ａｂｓ（Ｒ’−Ｙ’），ａｂｓ（Ｂ’−Ｙ’））＜＝０．２５かつｍａｘ（ａｂｓ（Ｒ’−Ｙ’），ａｂｓ（Ｂ’−Ｙ’））＜＝０．２５の場合、η＝０となり、その結果、色相補正が行われない。
ｍｉｎ（ａｂｓ（Ｒ’−Ｙ’），ａｂｓ（Ｂ’−Ｙ’））＞０．２５かつｍａｘ（ａｂｓ（Ｒ’−Ｙ’），ａｂｓ（Ｂ’−Ｙ’））＞０．２５及びｍｉｎ（ａｂｓ（Ｒ’−Ｙ’），ａｂｓ（Ｂ’−Ｙ’））＜＝０．５かつｍａｘ（ａｂｓ（Ｒ’−Ｙ’），ａｂｓ（Ｂ’−Ｙ’））＜＝０．５の場合、η＝（ｍａｘ（ａｂｓ（Ｒ’−Ｙ’），ａｂｓ（Ｂ’−Ｙ’）−ｍｉｎ（ａｂｓ（Ｒ’−Ｙ’），ａｂｓ（Ｂ’−Ｙ’）））−０．２５）／（０．５−０．２５）となり、その結果、色相補正はゼロから完全まで比例的に行われる。
ｍｉｎ（ａｂｓ（Ｒ’−Ｙ’），ａｂｓ（Ｂ’−Ｙ’））＞０．５かつｍａｘ（ａｂｓ（Ｒ’−Ｙ’），ａｂｓ（Ｂ’−Ｙ’））＞０．５の場合、η＝１となり、その結果、完全な色相補正が行われる。
【０１３５】
要約すると、表示された画像の色の飽和を、飽和制御ＣＳＣによって増大することができる。所定の画素に対して色の飽和が増大するだけでなく画素の色が変化する場合、色相誤差が飽和制御ＣＳＣの際に生じることがある。
【０１３６】
本発明は、第１の変形において、第１の処理ストリーム２３においてディスプレイ１１の見積もられたガンマ関数を飽和した信号(Ｙ’，ｓａｔｘ（Ｒ’−Ｙ’），ｓａｔｘ（Ｂ’−Ｙ’）)に適用して飽和した色を取得するとともに、第２の処理ストリーム２５において表示装置１１の見積もられたガンマ関数を元の信号(Ｙ’，（Ｒ’−Ｙ’），（Ｂ’−Ｙ’）)、すなわち、増大する飽和のない信号に適用して元の色を取得することのよって、飽和増大後の飽和した色を予測することを提案する。その後、飽和した色は、増大した飽和を維持しながら元の色に補正される。第２の変形において、負の色の寄与がディスプレイの前の位置で生じたときに色相補正３５を色飽和制御１７後に行うことによって出力の色相を予測する必要がなくなる。第３の変形例において、色飽和制御１７後に色差信号を適用することができるとともに、色飽和制御１７の関数として実験的に見つけられた適合内で第２の変形の色相補正３５に近づけることができる。図１０，１１及び１２に示すような種々のメンバシップ関数を、特にハードウェアアプリケーションでの処理の際に除算器の問題を防止するよう好適に適用することができる。
【０１３７】
本発明を詳細に説明したが、明細書は、全ての態様を例示したものであり、限定するものではない。本発明の範囲を逸脱することなく他の種々の変更及び変形が可能である。明細書、特許請求の範囲及び／又は添付図面に開示された特徴は、個別に又は任意の組合せにおいて、本発明の他の形態を実現する材料となる。
【０１３８】
したがって、本発明は、添付した特許請求の範囲内にある変更及び変形に及ぶ。特に、符号は、発明の範囲を制限するものではない。用語「具え」は、他の構成要素又はステップを除外するものではない。複数のものが除外されない。
【図面の簡単な説明】
【０１３９】
【図１】色飽和制御の分析の位置の線形図である。
【図２】基準としてのカメラガンマ補正後の信号を有するクロミナンス面のレベル４’及びＵＣＳ１９７６面の全てのレベルの上面を示す。
【図３】１．２の飽和制御後の２次元ＵＣＳ１９７６色面及び２次元クロミナンス色面のＣＲＴ出力を示す。
【図４】飽和制御後のディスプレイの色相が維持される信号処理方法の第１の好適な実施の形態のフローチャートである。
【図５】２次元クロミナンス面の減少のない色差信号を有する色相再現を表す線形図である。
【図６】図４の第１の好適な実施の形態による色飽和制御の関数としての色相の維持の結果を示す。
【図７】飽和制御後のディスプレイの色相がＣＲＴガンマ及び逆ガンマ変換なく維持される信号処理方法の第２の好適な実施の形態のフローチャートである。
【図８】ＣＲＴガンマ及び逆ガンマ変換がないが負の原色の寄与を防止することによって飽和制御後のディスプレイの色相が維持される、図７の第２の好適な実施の形態による色飽和制御の関数としての色相の維持の結果を示す。
【図９】色飽和制御後の色差信号を用いることによって信号経路の処理を最小にしながらディスプレイの色相を維持する信号処理方法の第３の好適な実施の形態のフローチャートである。
【図１０】飽和制御後の色相が維持されるとともにメンバシップ関数が実現される図４に示す信号処理方法の第１の好適な実施の形態の変形のフローチャートである。
【図１１】飽和制御後のディスプレイの色相が維持される図４，７又は９の好適な実施の形態で用いられる色相補正用のＲＧＢｍａｘ’のメンバシップ関数及び３次元クロミナンス空間のＲＧＢｍａｘ’のメンバシップ関数とのグラフである。
【図１２】飽和制御後のディスプレイの色相が維持される図４，７又は９の好適な実施の形態で用いられるＰｈｉＨｕｅ計算用の（ＲＧＢｍａｘ’−ＲＧＢｍｉｎ’）のメンバシップ関数及び３次元クロミナンス空間の（ＲＧＢｍａｘ’−ＲＧＢｍｉｎ’）のメンバシップ関数のグラフである。
【符号の説明】
【０１４０】
１  カメラ
２  伝送媒体
３  表示装置
５  色飽和制御（ＣＳＣ）
７  変換
９  表示マトリックス
１０  色相再現
１１  表示手段、ＣＲＴ，ＬＣＤ，ＤＰＤ
１３  シーン
１５  範囲の境界
１６  色飽和線
１７  色飽和制御
１９  Ｒ’Ｇ’Ｂ’−変換
２０  色相再現
２１  Ｒ’Ｇ’Ｂ’−変換
２３  第１の処理ストリーム
２５  第２の処理ストリーム
２７  非線形変換ユニット
２９  再変換
３０  色相再現
３１，３３  色相角を決定するユニット
３５  補正された色相値を取得するユニット
３７  色再現を表す矢印
３９  補正された色相値
４０  色相再現
４１  ＲＧＢ変換
４３  非線形変換ユニット
４５  負の色防止（ＮＣＰ）
４７  メンバシップ処理ストリーム
４９  極値検出ユニット
５１  メンバシップ関数
５３  第１のメンバシップ処理ブランチ
５５  第２のメンバシップ処理ブランチ
５７  色相補正のないエリア
５９  部分的な色相補正のエリア
６１  完全な色相補正のエリア
Ｂ’，Ｂ”，Ｂｓ”，Ｂｓｌ’  青色成分
ｄｅｇａｍｍｍａ  逆表示伝達関数
Ｇ’，Ｇ”，Ｇｓ”，Ｇｓｌ’  緑色成分
ｇａｍｍａ  表示伝達関数
Ｐｈｉｓａｔ”，Ｐｈｉｎｌ’  第１の色相値
Ｐｈｉｏｒｇ”，Ｐｈｉｌｉｍｉｔ’  第２の色相値
（Ｒ’，Ｇ’，Ｂ’）  ＲＧＢ画像信号
（Ｒ”，Ｇ”，Ｂ”）  予測されるＲＧＢ画像信号
(Ｒ’−Ｙ’)ｏ，（Ｂ’−Ｙ’）ｏ  色相補正された（非線形）色成分
Ｒ’−Ｙ’，Ｂ’−Ｙ’／Ｒ”−Ｙ”，Ｂ”−Ｙ”  色差信号／色成分／座標
Ｒ’，Ｒ”，Ｒｓ”，Ｒｓｌ’  赤色成分
(Ｒｏ’，Ｇｏ’，Ｂｏ’)  表示信号
(Ｒｏ”，Ｇｏ”，Ｂｏ”)  出力ＲＧＢ画像信号
（Ｒｓ’，Ｇｓ’，Ｂｓ’）  飽和制御されたＲＧＢ−画像信号
（Ｒｓ”，Ｇｓ”，Ｂｓ”）  予測される飽和制御されたＲＧＢ−画像信号
（Ｒｓｌ’，Ｇｓｌ’，Ｂｓｌ’）  制限された画像信号
ｓａｔ  飽和値
ｓａｔｘ（Ｒ’−Ｙ’），ｓａｔｘ（Ｂ’−Ｙ’）  非線形クロミナンス成分
(Ｙ’，Ｒ’−Ｙ’，Ｂ’−Ｙ’)  入力画像信号
(Ｙ’，ｓａｔｘ（Ｒ’−Ｙ’），ｓａｔｘ（Ｂ’−Ｙ’）)  飽和制御された画像信号
Ｙ１”，Ｙｓ”／Ｙ’，Ｙｓｌ’  輝度成分
(Ｙ１”，Ｒ１”−Ｙ１”，Ｂ１”−Ｙ１”)  処理された第２の画像信号
（Ｙｏ’，（Ｒ’−Ｙ’）ｏ，（Ｂ’−Ｙ’）ｏ）／（Ｙｏ”，（Ｒ”−Ｙ”）ｏ，（Ｂ”−Ｙ”）ｏ）  出力信号
Ｙ”ｏ  色相補正された輝度成分
Ｙｓ”  （線形）輝度成分
(Ｙｓ”，Ｒｓ”−Ｙｓ”，Ｂｓ”−Ｙｓ”)  飽和制御された第１の画像信号
（Ｙｓｌ’，Ｒｓｌ’−Ｙｓｌ’，Ｂｓｌ’−Ｙｓｌ’）  制限された第２の画像信号
【図１】
2008508768.tif 000020
【図２】
2008508768.tif 000021
【図３】
2008508768.tif 000022
【図４】
2008508768.tif 000023
【図５】
2008508768.tif 000024
【図６】
2008508768.tif 000025
【図７】
2008508768.tif 000026
【図８】
2008508768.tif 000027
【図９】
2008508768.tif 000028
【図１０】
2008508768.tif 000029
【図１１】
2008508768.tif 000030
【図１２】
2008508768.tif 000031
【国際調査報告】
2008508768.tif 000032
2008508768.tif 000033
2008508768.tif 000034